(57)【要約】【課題】前方からシャッター部の組み付けが容易であり、手の感触においても、視覚的にも組み付け完了を確認でき、不用意にその係合が解除されることがないこと。【解決手段】便器等の清掃の際に、肛門洗浄用ノズル本体２０、ビデ用ノズル本体４０の先端部を覆うシャッター６を有するシャッター部７は、本体ベース１と係合するシャッター部７の係合を解除する操作部７５ａ，７５ｂがシャッター６の裏側に位置しているから、不用意に操作部７５ａ，７５ｂを操作することがない。また、操作部７５ａ，７５ｂは、互いに逆方向の外力を付与することによって係合を解除するものであるから、通常の清掃等の作業においては、互いに逆方向の外力が生じ、それが操作部７５ａ，７５ｂに加わることがないから、安定した取り付け状態が維持できる。シャッター部７の洗浄のための分解、組み立てにしても、前方から作業を行うことができるから、その作業性がよい。【選択図】図７
2007239248.tif 000002
【特許請求の範囲】
【請求項１】
前側が便鉢側に近接するように便器後部に配置される本体ベースと、
前記本体ベースの先端部に着脱自在に装着された着脱ベース、前記着脱ベースの下面に設けられ、スナップアクションにより前記着脱ベースを前記本体ベースの先端部の底面部に取り付けると共に、前記着脱ベース下面に平行する作用力により前記取り付けが解除される操作部及び前記着脱ベースの開口を覆うように前記着脱ベースの上側に軸支されたシャッターとを有するシャッター部と、
局部洗浄の直前に前記シャッターを押し開いて前記本体ベース側から前記便鉢側に延出するノズル本体と
を具備することを特徴とする人体局部洗浄装置。
【請求項２】
前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、
前記係合子は、前記係合突起が前記本体ベースの先端部の底面側に形成された受容部の平行する壁の間に挿入されたとき、前記受容部の壁に設けられた凹部孔に弾性係合する請求項１記載の人体局部洗浄装置。
【請求項３】
前記ノズル本体は、肛門洗浄用ノズル本体とビデ用ノズル本体とからなり、前記双方のノズル本体は前記着脱ベースの開口を通過するときは、隔壁により分離された状態で移動することを特徴とする請求項１または請求項２に記載の人体局部洗浄装置。
【請求項４】
前記シャッター部と前記本体ベースの先端部との着脱は、前記シャッター部の開口の内壁が前記本体ベースの先端部から突出する突起ガイドによってガイドされる請求項１乃至請求項３の何れか１つに記載の人体局部洗浄装置。
【請求項５】
前記操作部は、前記シャッター部の前記裏面に突出した態様で設けられており、少なくともその５０％以上は、前記シャッターの遊端部側にて隠されていることを特徴とする請求項１乃至請求項４の何れか１つに記載の人体局部洗浄装置。
【発明の詳細な説明】
【技術分野】
【０００１】
本発明は、水洗便器に設置される人体局部洗浄装置に関し、特に、洗浄水を噴出するノズルの前方に位置するシャッター構造に関するものである。
【背景技術】
【０００２】
一般に、この種の人体局部洗浄装置は、洗浄水を噴出するノズルをケーシングに収納し、ノズルの先端がケーシング内に入った位置から洗浄動作を行う位置まで、ケーシングの出入口を通して往復移動するようにしている。洗浄動作をするとき、ノズルが人体局部に接近するので、ノズルに汚水や汚物が付着し易くなる。そのため、ノズルに筒状のノズルカバー体を着脱可能に取り付けて、少なくともノズルの先端付近に汚水や汚物の付着による汚染を防止している。また、ノズルと重なり合う吐出孔をノズルカバーに設けて、ノズルから噴出する洗浄水が吐出孔を通って噴出するようにしている。
【０００３】
具体的には、従来の人体局部洗浄装置として特許文献１の発明がある。即ち、特許文献１の発明は、洗浄水を噴出するノズルを保持する着脱機構を有するノズルマウントと、便器側の開口部と便器外とを遮断するように設けられた着脱機構を有するシャッター部と、前記ノズルマウントから延伸した着脱を容易にするガイドとを具備し、前記ノズルマウントに着脱機構を設けて目立たなくし、かつ、シャッター部の取り付けの際にも、ガイドに添って差し込むだけで容易に装着できるという技術思想を開示している。
そして、シャッター部によって開口部内に尿等の汚水が浸入することを防止し、かつ、シャッター部が見えづらくても容易に着脱できるようにしている。
【特許文献１】特開２００５−１７１５４１
【発明の開示】
【発明が解決しようとする課題】
【０００４】
ところで、上記特許文献１では、便器上に設けられ、内部に人体の局部を洗う洗浄手段を内装する本体と、前記本体の前部に開口部を有し、前記開口部と便器内とを遮断するための、着脱機構を有するシャッター部と着脱を容易にするガイドを設けたものである。
しかし、上記着脱機構は、ノズルマウント先端の下側にあるツメを掛ける孔とシャッター部の下側にあるツメから構成され、着脱の際、手の入れやすい本体の下側から手を入れることができ、その際、万一、シャッター部を落としても手の中に落ちる構成となり便器内に落ちづらくなる。上記シャッター部の下側にあるツメは、弾性結合するものであるから、便器の清掃等で目が届かないから、下方向から上記シャッター部の下側にあるツメを束子、ゴム手袋の手等で押圧すると、その解除の感覚が分からないまま、結合を解除してしまう場合がある。そのような場合には、清掃の後、数日経った後、使用者が予期していない時に、シャッター部が落下し、水洗の水によって流してしまうことが想定される。
【０００５】
そこで、この発明はかかる不具合を解決するためになされたもので、前方からシャッター部の組み付けが容易であり、手の感触においても、視覚的にも組み付け完了を確認でき、不用意にその係合が解除されることがない人体局部洗浄装置の提供を課題とするものである。
【課題を解決するための手段】
【０００６】
請求項１にかかる人体局部洗浄装置は、前側が便鉢側に近接するように便器後部に配置される本体ベースと、前記本体ベースの先端部に着脱自在に装着された着脱ベースと、前記着脱ベースの下面に設けられ、スナップアクションにより前記着脱ベースを前記本体ベースの先端部の底面部に取り付けると共に、前記着脱ベース下面に平行する作用力により前記取り付けが解除される操作部及び前記着脱ベースの開口を覆うように前記着脱ベースの上側に軸支されたシャッターとを有するシャッター部と、局部洗浄の直前に前記シャッターを押し開いて前記本体ベース側から前記便鉢側に延出するノズル本体とを具備するものである。
ここで、上記シャッター部は、前記本体ベース側に形成した凹部孔と前記シャッター部の着脱ベース側に突出する係合突起を設け、前記シャッターの背後に位置する操作部を有するものであればよい。また、上記ノズル本体は、肛門洗浄用ノズルとビデ用ノズルの何れかを１個または２個とすることができる。そして、上記本体ベースは、前記電気モータの取り付け、前記ノズル本体をスライド移動自在に取り付けるもので、人体局部洗浄装置の骨格を形成するものであればよく、全体を一体に構成する態様、２分割以上に分割された態様の何れであってもよい。そして、上記ノズル本体の先端部を覆うシャッターは、ノズル本体の移動によって開閉するものであるが、本発明を実施する場合には、ノズル本体の移動の直前に電気的または機械的に開閉するものであってもよい。
更に、上記シャッター部は、前記本体ベース側に形成した凹部孔と前記シャッター部の着脱ベース側に突出する係合突起を設けたものであり、上記本体ベース側に形成した凹部孔は、四角な貫通孔または下端が開放された略コ字状の貫通孔または窪みとすることができるが、本発明では、汚したくない位置であり、窪みの角には汚れが溜まり易いので、貫通孔が望ましい。
【０００７】
請求項２にかかる人体局部洗浄装置の前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、前記係合子は、前記係合突起が前記本体ベースの先端部の底面側に形成された受容部の平行する壁の間に挿入されたとき、前記受容部の壁に設けられた凹部孔に弾性係合するものである。
ここで、上記本体ベース側に形成した凹部孔は、貫通孔または窪みとすることができるが、本発明では、汚れが発生し汚れやすい箇所であるから、汚したくない位置であり、窪みの角には汚れが溜まり易いので、貫通孔が望ましい。また、略Ｕ字状とした係合突起は、同時に互いに反対方向の力である内側に外力を付与するものであり、仮に、一方に外力を加えても、同時に弾性結合が取れなくするものである。また、弾性歪を特定の箇所で耐えさせるものではなく、広範としたものであるが、本発明を実施しようとする場合には、対向する２枚板または略Ｖ字状に配設した板状物とすることができる。
【０００８】
請求項３にかかる人体局部洗浄装置の前記ノズル本体は、肛門洗浄用ノズル本体とビデ用ノズル本体とからなり、前記双方のノズル本体は前記着脱ベースの開口を通過するときは、隔壁により分離された状態で移動するものである。
上記隔壁は、前記着脱ベースの構造的強度を増し、かつ、２本のノズル本体を先端部においてもガイドでき、その故障を少なくすることができる。
【０００９】
請求項４にかかる人体局部洗浄装置の前記シャッター部と前記本体ベースの先端部との着脱は、前記シャッター部の開口の内壁が前記本体ベースの先端部から突出する突起ガイドによってガイドされるものである。
上記突起ガイド及び嵌合ガイドは、両者間が嵌合され、結合位置が特定される形態のものであればよい。
【００１０】
請求項５にかかる人体局部洗浄装置の前記操作部は、前記シャッター部の前記裏面に突出した態様で設けられており、少なくともその５０％以上は、前記シャッターの遊端部側にて隠されているものである。ここで、前記操作部の５０％以上を隠すとは、操作部が露出している箇所のみでは、操作部の一方に束子、作業中の手袋の一部が引っかかったとしても、同時に異なる方向の外力が加わらないから、不用意に離脱することがない。
【発明の効果】
【００１１】
請求項１の人体局部洗浄装置によれば、シャッター部は、前側が便鉢側に近接するように便器後部に配置される本体ベースの先端部に、着脱自在に装着された着脱ベースの下面に設けられ、スナップアクションにより前記着脱ベースを前記本体ベースの先端部の底面部に取り付けると共に、前記着脱ベース下面に平行する作用力により前記取り付けが解除される操作部及び前記着脱ベースの開口を覆うように前記着脱ベースの上側に軸支されたシャッターとを有し、通常状態で前記シャッター部の着脱ベース側と前記本体ベース側とが係合し、前記係合を解除するとき、互いに反対方向の向きの外力を付与して弾性変形させる操作部を有し、かつ、前記操作部は前記シャッターの背後に位置するものである。
したがって、便器、便座等人体局部洗浄装置の清掃の際に、ノズル本体の先端部を覆うシャッターを配設したシャッター部は、本体ベースと係合するシャッター部の係合を解除する操作部が、シャッターの裏側に位置し、不用意に操作部を操作することがない。また、操作部は、互いに逆方向の外力を付与することによって前記係合を解除するものであるから、通常の清掃等の作業においては、互いに逆方向の外力が生じ、それが操作部に加わることがないから、清掃時に誤って外れることなく、安定した取り付け状態が維持できる。そして、シャッター部の洗浄のための分解、組み立てにしても、前方から作業を行うことができるから、その作業性がよい。よって、前方からシャッター部の組み付けが容易であり、手の感触においても、視覚的にも組み付け完了を確認でき、不用意にその係合が解除されることがない。
【００１２】
請求項２の人体局部洗浄装置の前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、前記係合子は、前記係合突起が前記本体ベースの先端部の底面側に形成された受容部の平行する壁の間に挿入されたとき、前記受容部の壁に設けられた凹部孔に弾性係合するものであるから、請求項１に記載の効果に加えて、略Ｕ字状とした係合突起は、同時に互いに反対方向の力である内側に外力を付与するものであり、外力を加えても、簡単に弾性結合が解除されることがない。また、係合突起は略Ｕ字状であるから、弾性歪を特定の箇所に集中されるものではなく、広範としたものであるから、耐久性を長くすることができる。
【００１３】
請求項３における人体局部洗浄装置の前記ノズル本体は、肛門洗浄用ノズル本体とビデ用ノズル本体とからなり、前記双方のノズル本体は前記着脱ベースの開口を通過するときは、隔壁により分離された状態で移動するものであるから、請求項１または請求項２に記載の効果に加えて、前記隔壁が前記着脱ベースの構造的強度を増し、かつ、２本のノズル本体を先端部においてもガイドでき、その故障を少なくすることができる。
【００１４】
請求項４における人体局部洗浄装置の前記シャッター部と前記本体ベースの先端部との着脱は、前記シャッター部の開口の内壁が前記本体ベースの先端部から突出する突起ガイドによってガイドされるものであるから、請求項１乃至請求項３の何れか１つに記載の効果に加えて、上記突起ガイド及び嵌合ガイドは、両者間が嵌合され、結合位置が特定されるから、シャッター部に加わる外力によって変形し、操作部に予期しない外力が加わることを防止できる。
【００１５】
請求項５における人体局部洗浄装置の前記操作部は、前記シャッター部の前記裏面に突出した態様で設けられており、少なくともその５０％以上は、前記シャッターの遊端部側にて隠されているものであるから、請求項１乃至請求項４の何れか１つに記載の効果に加えて、前記操作部の５０％以上を隠すものであるから、操作部が露出している箇所では、その装着状態が確認でき、また、仮に、操作部の一方に束子、作業中の手袋の一部が引っかかったとしても、同時に異なる方向の外力が加わらないから、不用意に離脱することがない。
【発明を実施するための最良の形態】
【００１６】
以下、本発明の実施の形態について、図面に基づいて説明する。
図１は本発明の実施の形態１における人体局部洗浄装置の全体斜視図、図２は本発明の実施の形態１における人体局部洗浄装置の右側面図、図３は本発明の実施の形態１における人体局部洗浄装置の左側面図、図４は図２の矢印Ａ方向から見たＡ矢視図、図５は本発明の実施の形態１における人体局部洗浄装置のノズル本体を下方向に移動させた状態の右側面図、図６は本発明の実施の形態１における人体局部洗浄装置の肛門洗浄用ノズル本体の拡大中央横断面図、そして、図７は本発明の実施の形態１における人体局部洗浄装置のシャッター部と本体ベースとの着脱関係を図２の矢印Ｂ方向から見た要部斜視図、図８は本発明の実施の形態１における人体局部洗浄装置のシャッター部の取り付け状態を図２の矢印Ｂ方向から見た要部斜視図、図９は本発明の実施の形態１における人体局部洗浄装置のシャッター部の部品構成を示す構成図で、（ａ）は着脱ベースの正面、平面、底面、側面背面図、（ｂ）はシャッターの正面、側面図である。図１０は本発明の実施の形態１における人体局部洗浄装置のシャッター部と着脱ベースとの展開を示す斜視図である。図１１は本発明の実施の形態１における人体局部洗浄装置のシャッター部と本体ベースとの取り付け状態を示す下から見た説明図である。
【００１７】
まず、図１乃至図６を用いて、肛門洗浄用ノズル及びビデ用ノズルについて説明する。
図１、図２、図４乃至図６において、本体ベース１は本実施の形態１にかかる人体局部洗浄装置１０の骨子となるもので、各種の部品を取り付けられる合成樹脂またはアルミニウム等で形成されたものである。この本体ベース１は公知のように、前側が図示しない便鉢側に近接するように便器後部に配置される。肛門洗浄用モータ１１は、１個以上のギアを介して肛門洗浄用ノズル本体２０を移動させるピニオン１２を正回転または逆回転させ、そのピニオン１２と噛み合うラック２１によって肛門洗浄用ノズル本体２０を上下方向（その長さ方向）にスライド移動させるものである。即ち、本体ベース１には、肛門洗浄用ノズル本体２０がスライド移動する長さ方向に案内する図示しない案内溝が形成され、肛門洗浄用ノズル本体２０はそれに噛み合っている。肛門洗浄用ノズル本体２０はその図示しない案内溝に沿って直線運動を行うことになる。この肛門洗浄用ノズル本体２０は、上下の対向する平行面からなる２面を直線平面とし、その下方の面にラック２１を形成している。このラック２１は、肛門洗浄用ノズル本体２０を上下方向にスライド移動する範囲以上に形成されている。このように、肛門洗浄用ノズル本体２０にラック２１を配設した範囲は、ピニオン１２を正回転または逆回転させることによって、肛門洗浄用ノズル本体２０を移動させる移動駆動部２２を形成している。
【００１８】
肛門洗浄用ノズル本体２０の内部には、流体管２９が設けられることにより、肛門洗浄用ノズル本体２０の内部には、第１通路２０ａと第２通路２０ｂが画成される。第１通路２０ａ（第２通路２０ｂ）の基端側は、ポート２５ａ（２５ｂ）、ホース２６ａ（２６ｂ）を介して、流量調整弁を兼ねる水路切換弁２７の吐出ポート（図示略）に連結されている。しかして、電気モータ２８で駆動される水路切換弁２７の入力ポート２７ａに圧送された温水は、図示されない制御機構に指示されたシャワー洗浄態様に応じて、ホース２６ａのみ（ホース２６ａ及び２６ｂ）並びにポート２５ａのみ（ポート２５ａ及び２５ｂ）を介して、第１通路２０ａのみ（第１通路２０ａ及び第２通路２０ｂ）に導入された後、噴射ロ３６とラップする噴射ガイドロ３７から臀部に向けて噴射される。温水の圧力、流量及び通過通路を変更することにより、洗浄面積や噴出高さを変更できるようになっている。
【００１９】
また、移動駆動部２２は、本実施の形態においては、肛門洗浄用ノズル本体２０の認識しやすさにより平行面からなる２面を直線平面としているが、本発明を実施する場合には、少なくとも一面、即ち、下方向の面を平面とし、その平面を用いてラック２１を形成するものであればよい。勿論、この平面は、歯と歯の間の歯底面のみを平面とするものであってもよい。したがって、移動駆動部２２は、ラック２１と噛み合い、回転自在に固定されたピニオン１２の回転によって本体ベース１から進退する伸縮移動自在となる。
【００２０】
肛門洗浄用ノズル本体２０の移動駆動部２２の下端には、移動駆動部２２の径よりも小さい径で、かつ、その外周を円筒状に形成した小径部３１を有している。また、小径部３１の外周の下端付近には、Ｏリング３２が配設されている。そして、小径部３１の中央部より移動駆動部２２寄りには、略円柱状で１〜３ｍｍ程度の高さの係合片３３が配設されている。この係合片３３は、円柱形状に限定されるものではなく、面取りした多角柱であってもよい。何れにせよ、機械的強度を高くした構造とする必要がある。
【００２１】
そして、肛門洗浄用ノズル本体２０の小径部３１には、小径部３１を覆うように挿着されるノズルカバー３０を有している。ノズルカバー３０は、Ｏリング３２と弾接する内径を有し、肛門洗浄用ノズル本体２０の長さ方向に挿入するとき、小径部３１に配設した係合片３３を所定の位置までガイドするスリット３４を有している。
また、使用状態でノズルカバー３０を回動したときに、スリット３４は係合片３３との間で、スナップ動作による係合を行うものである。ノズルカバー３０の回転角度は、本実施の形態では、肛門洗浄用ノズル本体２０の上面も平面とした外形としているから、肛門洗浄用ノズル本体２０の移動駆動部２２の外周形状とノズルカバー３０の外周形状が一致したとき、即ち、長さ方向の直角断面が略円形であるから、肛門洗浄用ノズル本体２０の上平面が移動駆動部２２とノズルカバー３０の上平面が一致したとき、係合位置となり、これは、視覚的にも確認できるし、手触りでも確認できる。
【００２２】
このスナップ動作は、予め、肛門洗浄用ノズル本体２０の移動駆動部２２の位置とノズルカバー３０の位置とが結合した位置で、スリット３４と係合片３３とのスナップ動作が完了するように設定しておけば、長さ方向の直角断面が略円形であるから、肛門洗浄用ノズル本体２０の上平面が移動駆動部２２とノズルカバー３０の上平面が一致したとき、係合位置となり、このスナップ動作は、手触り感覚として確認できる。
即ち、本発明の実施の形態では、 長さ方向の直角断面が略小判形であるから、肛門洗浄用ノズル本体２０の上平面が移動駆動部２２とノズルカバー３０の上平面が一致したとき、係合位置となり、視覚的で確認できるし、手触りでも確認できることになる。
【００２３】
本実施の形態の流体管２９は、図６に示すように、移動駆動部２２を通過して、移動駆動部２２の下端にある小径部３１から突出し、ノズルカバー３０の内部に挿着されている噴射ガイド３５に接続されている。噴射ガイド３５には噴射口３６が配設されていて、流体管２９の洗浄水は噴射ガイド３５の噴射口３６から噴射される。なお、噴射口３６にはノズルカバー３０の噴射ガイド口３７が位置し、噴射口３６以外の位置を覆っている。
したがって、ノズルカバー３０が汚れる可能性がある。そこで、ノズルカバー３０を取り外して洗浄することにより、常にノズルカバー３０を清潔に維持することができる。
【００２４】
次に、図１、図３、図４を用いて、ビデ用ノズルについて説明する。
図１、図３、図４において、ビデ用モータ５１はビデ用ノズル本体４０を移動させるピニオン５２を回転させ、ピニオン５２と噛み合うラック４１によってビデ用ノズル本体４０を上下方向に移動させるものである。ビデ用モータ５１は、１個以上のギアを介してビデ用ノズル本体４０を移動させるピニオン５２を正回転または逆回転させ、そのピニオン５２と噛み合うラック４１によってビデ用ノズル本体４０を上下方向にスライド移動させるものである。このビデ用ノズル本体４０は、上下の対向する平行面からなる２面を直線平面とし、その下方の面にラック４１を形成している。このラック４１は、ビデ用ノズル本体４０を上下方向にスライド移動する範囲以上に形成されている。このように、ビデ用ノズル本体４０にラック４１を配設した範囲は、ピニオン５２を正回転または逆回転させることによって、ビデ用ノズル本体４０を移動させる移動駆動部４２を形成している。
【００２５】
ビデ用ノズル本体４０は、ビデとしてソフトな噴流が好まれることから肛門洗浄用ノズル本体２０のように、格別、流体抵抗を低くする必要がないので、１本の流体管４４が接続され、ビデ用ノズル本体４０の移動駆動部４２の上端に接続端部４５を介して接続されている。即ち、ビデ用ノズル本体４０には、ラック４１を配設した移動駆動部４２の上部に１個の導入口４５を配設し、更に、導入口４５に１本の流体管４４を接続し、洗浄水送給バルブ２７からビデ用ノズル本体４０までの洗浄水の通路としている。フレキシブル流体管４４が接続された移動駆動部４２の上端に配設され接続端部４５は、本実施の形態においては、直接移動駆動部４２の内部を介して洗浄水を供給する流路を形成している。
【００２６】
また、移動駆動部４２は、本実施の形態においては、ビデ用ノズル本体４０の認識しやすさにより平行面からなる２面を直線平面としているが、本発明を実施する場合には、少なくとも一面、即ち、下方向の面を平面とし、その平面にラック４１を形成するものであればよい。勿論、この平面は、歯と歯の間の歯底面のみを平面とするものであってもよい。したがって、移動駆動部４２は、ラック４１と噛み合い、回転自在に固定されたピニオン５２の回転によって本体ベース１から進退する伸縮移動自在となっている。
【００２７】
ビデ用ノズル本体４０の移動駆動部４２の下端には、肛門洗浄用ノズル本体２０の構成と同様に、ビデ用ノズル本体４０の小径部には、小径部を覆うように挿着されるノズルカバー６０を有している。ノズルカバー６０は、Ｏリングと弾接する内径を有し、ビデ用ノズル本体４０の長さ方向に挿入するとき、小径部に配設した係合片を所定の位置までガイドするスリットを有している。
【００２８】
また、ビデ用ノズル本体４０の図示しない小径部にノズルカバー６０を挿入し、回動したときに、スナップ動作による係合を行い、ノズルカバー６０は小径部と係合状態となる。ノズルカバー６０の回転角度は、本実施の形態では、ビデ用ノズル本体４０の上面も平面とした外形としているから、ビデ用ノズル本体４０の移動駆動部４２の外周形状とノズルカバー６０の外周形状が一致したとき、即ち、長さ方向の直角断面が略円形であるから、ビデ用ノズル本体４０の上平面が移動駆動部４２とノズルカバー６０の上平面が一致したとき、係合位置となり、これは、視覚的でも確認できるし、手触りでも確認できる。また、ビデ用ノズル本体４０の小径部に形成した係合片の位置とノズルカバー６０のスナップ動作後の結合した位置は、スナップ動作が完了した係合状態にあるから、その位置を視覚的に確認することによって、ビデ用ノズル本体４０とノズルカバー６０の係合を認識することもできる。このように接続されることによって、移動駆動部４２の内部を通過する洗浄水は、移動駆動部４２の下端にある小径部に接続されたノズルカバー６０の内部に導かれ、ノズルカバー６０に形成されている複数の噴射口から噴射される。
【００２９】
上記実施の形態における人体局部洗浄装置においては、肛門洗浄用ノズルとビデ用ノズルに適用する場合について説明したが、本発明を実施する場合には、肛門洗浄用ノズルとビデ用ノズルの何れにも適用することができる。
【００３０】
次に、図７乃至図１０を用いて、シャッター６の構造について説明する。
図７乃至図１０において、肛門洗浄用ノズル本体２０のノズルカバー３０、ビデ用ノズル本体４０のノズルカバー６０は、前述したように、何れも洗浄のために取り外し自在となっている。そのため、ノズルカバー３０及びノズルカバー６０の下端は、本体ベース１から突出し、シャッター部７によって本体ベース１内に収容されたような形態を採っている。本体ベース１の下端には、左右・上下方向の移動を規制し、挿着をガイドする突起ガイド３ａ，３ｂが設けられている。突起ガイド３ａ，３ｂは本体ベース１の下端開口の両側に配設され、並行する板状の直角三角形状を呈しており、挿入初期の移動角度範囲を広くしている。
【００３１】
また、肛門洗浄用ノズル本体２０のノズルカバー３０及びビデ用ノズル本体４０のノズルカバー６０が突出する開口の下側中央には、略コ字状に開口する受容部４を有している。受容部４の両側の並行する係合片４ａ，４ｂには、下に開口する凹部孔５ａ，５ｂが形成されている。なお、この受容部４の凹部孔５ａ，５ｂは、四角な貫通孔または下端が開放された略コ字状の貫通孔とするのが望ましいが、単なる窪みとすることもできる。本実施の形態では、汚したくない位置であり、一般に、窪みの角には汚れが溜まり易いので、貫通孔とするのが望ましい。本実施の形態の下に開口する凹部孔５ａ，５ｂは、汚れが溜り難く落下する構造としている。
【００３２】
シャッター部７は、ノズルカバー３０及びノズルカバー６０が突出する開口の中央には、隔壁７１を有し、前記開口に対応する形状の着脱ベース７０が母体となっている。この隔壁７１は、着脱ベース７０の構造的強度を増し、かつ、２本の肛門洗浄用ノズル本体２０またはビデ用ノズル本体４０からなるノズル本体を先端部においてもガイドでき、その故障を少なくすることができる。着脱ベース７０の両側の内面には、突起ガイド３ａ，３ｂを収容する嵌合ガイド７２ａ，７２ｂが形成されている。突起ガイド３ａ，３ｂ及び嵌合ガイド７２ａ，７２ｂは、両者が嵌合し、結合位置となったとき、結合が特定される形態のものであればよい。即ち、その突起ガイド３ａ，３ｂと嵌合ガイド７２ａ，７２ｂとの形状を任意に設定することができる。このときの突起ガイド３ａ，３ｂと嵌合ガイド７２ａ，７２ｂとのがたつきが、両者間の組み付け精度を特定することとなる。
【００３３】
着脱ベース７０の中央の下部には、弾性を持たせた開口を正面側としてなる略Ｕ字状の係合突起７３が形成されている。係合突起７３の外側には、三角柱状の係合子７４ａ，７４ｂが形成されている。この係合突起７３は、受容部４の凹部孔５ａ，５ｂに係合するものである。係合突起７３の開口端部には両側を挟持することにより、その係合を解除する操作部７５ａ，７５ｂとなっている。操作部７５ａ，７５ｂの両側を挟持するとは、互いに逆方向の外力を付与することによって、係合突起７３の係合子７４ａ，７４ｂと、受容部４の凹部孔５ａ，５ｂとの係合を解除することになる。
【００３４】
ここで、図１１を用いてシャッター部７と本体ベース１との分離及び組み付け状態を説明する。
本体ベース１からシャッター部７を分離し、肛門洗浄用ノズル本体２０からノズルカバー３０、ビデ用ノズル本体４０からノズルカバー６０を取り外し、必要に応じてノズルカバー３０、ノズルカバー６０を洗浄する。そして、ノズルカバー３０、ノズルカバー６０を肛門洗浄用ノズル本体２０、ビデ用ノズル本体４０に装着する。その後、図１１（ａ）に示すように、本体ベース１に対してシャッター部７の係合突起７３を本体ベース１の受容部４に対向させる。着脱ベース７０の両側の嵌合ガイド７２ａ，７２ｂを突起ガイド３ａ，３ｂに対向させる。そして、図１１（ｂ）に示すように、本体ベース１に対してシャッター部７の係合突起７３を本体ベース１の受容部４に挿入し、係合突起７３の係合子７４ａ，７４ｂを受容部４の凹部孔５ａ，５ｂに弾性的に係合させる。
ここで、係合突起７３の係合子７４ａ，７４ｂを受容部４の凹部孔５ａ，５ｂに弾性的に係合する構成は、自己の弾性によって、受容部４の凹部孔５ａ，５ｂに係合子７４ａ，７４ｂが係合する機能を有するものであることから、本発明を実施する場合には、一般的にスナップアクションと呼称されている係合手段が使用できる。
【００３５】
その後、本体ベース１からシャッター部７を分離する場合には、まず、図１１（ｃ）に示すように、シャッター６が閉じているとき、それを開放して、操作部７５ａ，７５ｂを指で摘まみ、そこに挟持力を付与すると、つまり、着脱ベース７０の下面に平行する力を作用させると、弾性的に係合している係合突起７３の係合子７４ａ，７４ｂが、受容部４の凹部孔５ａ，５ｂから離れる。この状態で、図１１（ｄ）に示すように、本体ベース１からシャッター部７を引き離すことにより、本体ベース１からシャッター部７を分離することができる。
【００３６】
そして、着脱ベース７０には、上部両側位置に嵌合軸受部７６ａ，７６ｂが形成されていて、側面から見て、く字状に曲折されたシャッター６の両側の支軸６ａ，６ｂをスナップ挿入することにより、シャッター６が回動自在となっている。通常、肛門洗浄用ノズル本体２０とビデ用ノズル本体４０が出入りする場合には、肛門洗浄用ノズル本体２０とビデ用ノズル本体４０がシャッター６の内面に当接して開放し、収まったとき、シャッター６が自重で閉じるものである。本実施の形態では、シャッター６が閉じているとき、シャッター６の背後に位置する操作部７５ａ，７５ｂは、その一部が確認できる程度に隠れている。
【００３７】
発明者等の実験によれば、シャッター６の背後に位置する操作部７５ａ，７５ｂは、便器外から確認できる方が、清掃の際にシャッター部７の存在が確認でき、肛門洗浄用ノズル本体２０からノズルカバー３０及びビデ用ノズル本体４０からノズルカバー６０を取り外す位置、その操作の必要性が認識でき、かつ、その作業が容易になる。しかし、通常、操作部７５ａ，７５ｂの５０％以下程度がシャッター６の下部から露出している状態であると、清掃作業においても、その存在に気をつけて作業を行い、また、３０％以下程度がシャッター６の下部から露出している状態であっても、清掃作業においては、束子やゴム手袋がシャッター６の下端のガイド機能によって引っかかることがなくなり、不用意に操作部７５ａ，７５ｂに外力を加え、係合突起７３の係合子７４ａ，７４ｂと受容部４の凹部孔５ａ，５ｂとの係合を解除することがない。
【００３８】
即ち、本件発明の実施の形態における人体局部洗浄装置１０は、下面にラック２１，４１を形成し、ラック２１，４１と噛み合うピニオン１２，５２を肛門洗浄用モータ１１またはビデ用モータ５１からなる電気モータによって回転させることによってスライド移動自在とした肛門洗浄用ノズル本体２０またはビデ用ノズル本体４０からなるノズル本体と、肛門洗浄用モータ１１またはビデ用モータ５１からなる電気モータを取り付け、肛門洗浄用ノズル本体２０またはビデ用ノズル本体４０からなるノズル本体をスライド移動自在に保持する本体ベース１と、肛門洗浄用ノズル本体２０またはビデ用ノズル本体４０からなるノズル本体の先端部を覆うシャッター６と、シャッター６を回動自在に軸支すると共に、本体ベース１に対して取り付ける着脱ベース７０からなるシャッター部７とを具備し、シャッター部７は、本体ベース１側に形成した凹部孔５ａ，５ｂとシャッター部７の着脱ベース７０側に突出する係合突起７３を設け、通常状態で係合突起７３と凹部孔５ａ，５ｂとが係合し、互いに逆方向の外力を付与することによって前記係合を解除する操作部７５ａ，７５ｂとを有し、操作部７５ａ，７５ｂはシャッター６の背後に位置するものである。
【００３９】
上記実施の形態における人体局部洗浄装置１０は、前側が便鉢側に近接するように便器後部に配置される本体ベース１と、本体ベース１の先端部に着脱自在に装着された着脱ベース７０と、着脱ベース７０の下面に設けられ、スナップアクションにより着脱ベース７０を本体ベース１の先端部の底面側に取り付けると共に、着脱ベース７０下面に平行する作用力により前記取り付けが解除される操作部７５ａ，７５ｂ及び着脱ベース７０の開口を覆うように着脱ベース７０の上側に軸支されたシャッター６とを有するシャッター部７と、局部洗浄の直前にシャッター６を押し開いて本体ベース１側から前記便鉢側に延出する肛門洗浄用ノズル本体２０、ビデ用ノズル本体４０からなるノズル本体とを具備する発明とすることができる。
【００４０】
したがって、便器、便座等人体局部洗浄装置の清掃の際に、肛門洗浄用ノズル本体２０及び／またはビデ用ノズル本体４０の先端部を覆うシャッター６を配設したシャッター部７は、本体ベース１と係合するシャッター部７の係合を解除する操作部７５ａ，７５ｂが、シャッター６の裏側に位置し、不用意に操作部７５ａ，７５ｂを操作することがない。また、操作部７５ａ，７５ｂは、互いに逆方向の外力を付与することによって係合を解除するものであるから、通常の清掃等の作業においては、互いに逆方向の外力が生じ、それが操作部７５ａ，７５ｂに加わることがないから、安定した取り付け状態が維持できる。そして、シャッター部７の洗浄のための分解、組み立てにしても、前方から作業を行うことができるから、その作業性がよい。よって、前方からシャッター部７の組み付けが容易であり、手の感触においても、視覚的にも組み付け完了を確認でき、不用意にその係合が解除されることがない。
【００４１】
上記実施の形態における人体局部洗浄装置においては、便器、便座等の清掃の際に、肛門洗浄用ノズル本体２０またはビデ用ノズル本体４０からなるノズル本体の先端部を覆うシャッター６を有するシャッター部７は、本体ベース１と係合するシャッター部７の係合を解除する操作部７５ａ，７５ｂがシャッター６の裏側に位置し、不用意に操作部７５ａ，７５ｂを操作することがない。また、操作部７５ａ，７５ｂは、互いに逆方向の外力を付与することによって係合を解除するものであるから、通常の清掃等の作業においては、互いに逆方向の外力が生じ、それが操作部７５ａ，７５ｂに加わることがないから、安定した取り付け状態が維持できる。そして、シャッター部７の洗浄のための分解、組み立てにしても、前方から作業を行うことができるから、その作業性がよい。
よって、前方からシャッター部７の組み付けが容易であり、手の感触においても、視覚的にも組み付け完了を確認でき、不用意にその係合が解除されることがない。
【００４２】
また、上記実施の形態における人体局部洗浄装置のシャッター部７は、本体ベース１側に形成した凹部孔５ａ，５ｂは２箇所であり、シャッター部７の操作部７５ａ，７５ｂの係合突起７３は略Ｕ字状とし、その先端部の両側の操作部７５ａ，７５ｂを挟持することにより、係合を解除するものであるから、略Ｕ字状とした係合突起７３は、同時に互いに反対方向の力である内側に外力を付与するものであり、外力を加えても、簡単に弾性結合が解除されることがない。また、係合突起７３は略Ｕ字状であるから、弾性歪を特定の箇所に集中されるものではなく、広範囲としたものであるから、耐久性を長くすることができる。
【００４３】
このように、人体局部洗浄装置の操作部７５ａ，７５ｂは、弾性を有する略Ｕ字型の開口の両側に配設され、着脱ベース７０の裏面側に係止される係合突起７３と、係合突起７３の両側部の一方または両方に形成された外方向に突出する係合子７４ａ，７４ｂとを備え、係合子７４ａ，７４ｂは、係合突起７３が本体ベース１の先端部の底面側に形成された受容部４の平行する壁の間に挿入されたとき、受容部４の壁に設けられた凹部孔５ａ，５ｂに弾性係合するものである。
【００４４】
そして、上記実施の形態における人体局部洗浄装置のシャッター部７の着脱ベース７０は、本体ベース１側に形成したスライド移動自在とした２本の肛門洗浄用ノズル本体２０またはビデ用ノズル本体４０からなるノズル本体を分離するように中央に２分する隔壁７１を設けたものであるから、隔壁７１が着脱ベース７０の構造的強度を増し、かつ、２本の肛門洗浄用ノズル本体２０及びビデ用ノズル本体４０からなるノズル本体を先端部においてもガイドでき、その故障を少なくすることができる。
このように、人体局部洗浄装置のノズル本体は、肛門洗浄用ノズル本体２０とビデ用ノズル本体４０とからなり、前記肛門洗浄用ノズル本体２０及びビデ用ノズル本体４０からなる双方のノズル本体は着脱ベース７０の開口を通過するときは、隔壁７１により分離された状態で移動するものである。
【００４５】
更に、上記実施の形態における人体局部洗浄装置のシャッター部７の着脱ベース７０は、本体ベース１の両側に形成した突起ガイド３ａ，３ｂに嵌合する嵌合ガイド７２ａ，７２ｂを形成したものであるから、突起ガイド３ａ，３ｂ及び嵌合ガイド７２ａ，７２ｂは、両者間が嵌合され、結合位置が特定されるから、シャッター部７に加わる外力によって変形し、操作部７５ａ，７５ｂに予期しない外力が加わることを防止できる。
このように、人体局部洗浄装置のシャッター部７と本体ベース１の先端部との着脱は、シャッター部７の開口の内壁が本体ベース１の先端部から突出する突起ガイド３ａ，３ｂによってガイドされるものである。
【００４６】
また、上記実施の形態における人体局部洗浄装置のシャッター部７のシャッター６は、操作部７５ａ，７５ｂの５０％以上を隠すように背後に配設したものであるから、操作部７５ａ，７５ｂの５０％以上を隠すものであり、操作部７５ａ，７５ｂが露出している箇所では、その装着状態が確認でき、また、仮に、操作部７５ａ，７５ｂの一方に束子、作業中の手袋の一部が引っかかったとしても、同時に異なる方向の外力が加わらないから、不用意に離脱することがない。
このように、人体局部洗浄装置の操作部７５ａ，７５ｂは、シャッター部７の裏面に突出した態様で設けられており、少なくともその５０％以上は、シャッター６の遊端部側にて隠されているものであるから、操作部７５ａ，７５ｂの５０％以上を隠すものである。
【００４７】
そして、上記実施の形態における人体局部洗浄装置のシャッター部７は、通常状態でシャッター部７の着脱ベース７０側に設けた係合突起７３と本体ベース１側に形成した凹部孔５ａ，５ｂとが係合し、前記係合を解除するとき、係合突起７３に対し互いに反対方向の向きの外力を付与して弾性変形させる操作部７５ａ，７５ｂを有し、かつ、操作部７５ａ，７５ｂはシャッター６の背後に位置するものである。ところで、このときのシャッター部７の着脱ベース７０側に設けた係合突起７３と本体ベース１側に形成した凹部孔５ａ，５ｂは、シャッター部７の着脱ベース７０側に設けた係合突起７３と本体ベース１側に形成した凹部孔５ａ，５ｂとを逆にすることができる。この場合には、凹部孔５ａ，５ｂ側が弾性を持つときには、強度及び構造等を必要に応じた値とする必要がある。
【００４８】
即ち、上記実施の形態における人体局部洗浄装置のシャッター部７は、通常状態でシャッター部７の着脱ベース７０側と本体ベース１側とが係合し、前記係合を解除するとき、互いに反対方向の向きの外力を付与して弾性変形させる操作部７５ａ，７５ｂを有し、かつ、部７５ａ，７５ｂはシャッター６の背後に位置する構成とすることができる。
【図面の簡単な説明】
【００４９】
【図１】図１は本発明の実施の形態１における人体局部洗浄装置の全体斜視図である。
【図２】図２は本発明の実施の形態１における人体局部洗浄装置の右側面図である。
【図３】図３は本発明の実施の形態１における人体局部洗浄装置の左側面図である。
【図４】図４は図２の矢印Ａ方向から見たＡ矢視図である。
【図５】図５は本発明の実施の形態１における人体局部洗浄装置のノズル本体を下方向に移動させた状態の右側面図である。
【図６】図６は本発明の実施の形態１における人体局部洗浄装置の肛門洗浄用ノズル本体の拡大中央横断面図である。
【図７】図７は本発明の実施の形態１における人体局部洗浄装置のシャッター部と本体ベースとの着脱関係を図２の矢印Ｂ方向から見た要部斜視図である。
【図８】図８は本発明の実施の形態１における人体局部洗浄装置のシャッター部の取り付け状態を図２の矢印Ｂ方向から見た要部斜視図である。
【図９】図９は本発明の実施の形態１における人体局部洗浄装置のシャッター部の部品構成を示す構成図で、（ａ）は着脱ベースの正面、平面、底面、側面背面図、（ｂ）はシャッターの正面、側面図である。
【図１０】図１０は本発明の実施の形態１における人体局部洗浄装置のシャッター部と着脱ベースとの展開を示す斜視図である。
【図１１】図１１は本発明の実施の形態１における人体局部洗浄装置のシャッター部と本体ベースとの取り付け状態を示す下から見た説明図である。
【符号の説明】
【００５０】
１    本体ベース
３ａ，３ｂ      突起ガイド
５ａ，５ｂ      凹部孔
４            受容部
６    シャッター
７    シャッター部
１０    人体局部洗浄装置
１１    肛門洗浄用モータ
１２，５２    ピニオン
２０    肛門洗浄用ノズル本体
２１，４１    ラック
３０，６０    ノズルカバー
４０    ビデ用ノズル本体
５１    ビデ用モータ
７０    着脱ベース
７２ａ，７２ｂ      嵌合ガイド
７３    係合突起
７４ａ，７４ｂ      係合子
７５ａ，７５ｂ      操作部
【図１】
2007239248.tif 000003
【図２】
2007239248.tif 000004
【図３】
2007239248.tif 000005
【図４】
2007239248.tif 000006
【図５】
2007239248.tif 000007
【図６】
2007239248.tif 000008
【図７】
2007239248.tif 000009
【図８】
2007239248.tif 000010
【図９】
2007239248.tif 000011
【図１０】
2007239248.tif 000012
【図１１】
2007239248.tif 000013